(57)【要約】【課題】  靴内部空間に送風する送風手段を備えた靴において、靴内部を急速に換気させることができない。【解決手段】  靴内側表面１０２に、外気に開口し、足２００に隙間１６ｈ、１８ｄを有して空気を配風する配風溝１６ｅ、１８ｃに、一端側が配風溝１６ｅ、１８ｃに開口し、他端側が外気に開口して空気が流通する空気流通路１０１が形成されており、空気流通路１０１内の空気を、一端側および他端側のどちらか一方に送風する送風機２７を備える。【選択図】        図１
2007296260.tif 000002
【特許請求の範囲】
【請求項１】
足（２００）を挿入する挿入口（１１ａ）を有し、靴内部空間（１１ｄ）を形成する靴内側表面（１０２）と、
前記靴内側表面（１０２）に、前記挿入口（１１ａ）から前記足（２００）を挿入した際に、前記足（２００）に隙間（１６ｈ、１８ｄ）を有して空気を配風する配風溝（１６ｅ、１８ｃ）と、
一端側が前記配風溝（１６ｅ、１８ｃ）に開口し、他端側が外気に開口して空気が流通する空気流通路（１０１、１０４ａ）とが形成されており、
前記空気流通路（１０１、１０４ａ）内の空気を、前記一端側および前記他端側のどちらか一方に送風する送風手段（２７）を備えたことを特徴とする送風靴。
【請求項２】
前記隙間（１６ｈ、１８ｄ）の適宜部位が外気に通じていることを特徴とする請求項１に記載の送風靴。
【請求項３】
前記送風手段（２７）は電気を供給されて作動することを特徴とする請求項１または請求項２に記載の送風靴。
【請求項４】
前記送風手段（２７）の作動、停止を制御する制御手段（２９ａ）を備えたことを特徴とする請求項３に記載の送風靴。
【請求項５】
前記空気流通路（１０１）の一端側が前記配風溝（１６ｅ、１８ｃ）に開口する靴内開口部（１６ｊ）で構成され、前記空気流通路（１０１）の他端側が外気に開口する外気開口部（１４ｂ）で構成されていることを特徴とする請求項１乃至請求項４のいずれか１つに記載の送風靴。
【請求項６】
前記空気流通路（１０４ａ）の一端側が前記配風溝（１６ｅ、１８ｃ）に開口する第１の靴内開口部（１６ｋ）で構成され、前記空気流通路（１０４ａ）の他端側が外気に開口する第１の外気開口部（１４ｃ）で構成されており、
さらに、前記空気流通路（１０４ａ）とは別に第２の空気流通路（１０４ｂ）が形成されており、
前記第２の空気流通路（１０４ｂ）の一端側が前記配風溝（１６ｅ、１８ｃ）に開口する第２の靴内開口部（１６ｍ）で構成され、前記第２の空気流通路（１０４ｂ）の他端側が外気に開口する第２の外気開口部（１５ｅ）で構成されていることを特徴とする請求項１乃至請求項４のいずれか１つに記載の送風靴。
【請求項７】
前記空気流通路（１０１、１０４ａ）の両端のうち、前記他端側から一端側に送風する送風モード（Ｍ１）と、前記一端側から前記他端側に送風する排気モード（Ｍ２）とを有しており、
前記送風モード（Ｍ１）と前記排気モード（Ｍ２）とを選択するモード選択手段（ＳＷ４）を備えていることを特徴とする請求項３乃至請求項６のいずれか１つに記載の送風靴。
【請求項８】
前記空気流通路（１０１、１０４ａ、１０４ｂ）を遮蔽する遮蔽手段を備えていることを特徴とする請求項１乃至請求項７のいずれか１つに記載の送風靴。
【請求項９】
前記空気流通路（１０１、１０４ａ）の空気および前記靴内部空間（１１ｄ）の空気の少なくとも一方に伝熱する伝熱手段を備え、
前記伝熱手段は、空気加熱手段（４１、４２）、空気冷却手段のうち、少なくとも一方で構成されていることを特徴とする請求項１乃至請求項８のいずれか１つに記載の送風靴。
【発明の詳細な説明】
【技術分野】
【０００１】
本発明は、靴内部空間側から外気側、もしくは外気側から靴内部空間側に空気を送風する靴に関するもので、靴の換気に適用して有効である。
【背景技術】
【０００２】
従来の靴（例えば革靴、スニーカー、ブーツ等）は通気性、換気性が悪く、特に夏場は足の発汗作用により靴内部の温度、湿度が上昇して不快に感じる足蒸れの問題と、靴内部空間が臭くなる足臭の問題があった。
【０００３】
そこで、靴の底部に、靴内部空間と外気とを連通する空気流通路と、上記空気流通路の途中に、歩行によって圧縮する空気室と、上記空気室が圧縮された際に靴内部空間側から外気側にのみ送風する逆止弁とを備え、外気に送風するものが出願されている（例えば、特許文献１参照）。
【０００４】
また、一端が靴底に開口し、他端が外気に開口する空気流路を設け、この空気流路の途中に、モータファンを配置して電気で駆動させ、外気を靴内部に送風するようにすることで、高温、多湿で、臭いを伴った空気を排除するようにしたものが出願されている（例えば、特許文献２参照）。
【０００５】
【特許文献１】特開平９−２９９１０３公報
【特許文献２】特開２００２−３４６０３公報
【発明の開示】
【発明が解決しようとする課題】
【０００６】
しかし、上記特許文献１は、空気流路の靴内部側の開口部の大部分が、足裏で塞がれて、靴内部の空気を急速に入れ替えること、すなわち、急速に換気することができなかった。
【０００７】
また、上記特許文献２のように、電気で駆動させるものにおいても、上記特許文献１と同様の問題点があった。また、空気流路の靴内部側の開口部の大部分が、足裏で塞がれているので、空気流路で圧損が生じ、モータファンに高負荷がかかる問題点があった。
【０００８】
本発明は上記点に鑑み、靴内部空間に送風する送風手段を備えた靴において、靴内部を急速に換気させる送風靴を提供することを目的とする。
【課題を解決するための手段】
【０００９】
本発明は、上記目的を達成するために、請求項１に記載の発明では、足（２００）を挿入する挿入口（１１ａ）を有し、靴内部空間（１１ｄ）を形成する靴内側表面（１０２）と、
靴内側表面（１０２）に、挿入口（１１ａ）から足（２００）を挿入した際に、足（２００）に隙間（１６ｈ、１８ｄ）を有して空気を配風する配風溝（１６ｅ、１８ｃ）と、
一端側が配風溝（１６ｅ、１８ｃ）に開口し、他端側が外気に開口して空気が流通する空気流通路（１０１、１０４ａ）とが形成されており、
空気流通路（１０１、１０４ａ）内の空気を、一端側および他端側のどちらか一方に送風する送風手段（２７）を備えたことを特徴とする。
【００１０】
これによれば、空気流通路（１０１、１０４ａ）の一端側が、足（２００）によって塞がれないので、空気流通路（１０１、１０４ａ）内の空気を、一端側および他端側のどちらか一方に送風する際に、空気流通路（１０１、１０４ａ）の一端側での空気の出入り、が容易になる。
【００１１】
その結果、足（２００）全体に、まんべんなく空気を供給することができる。また、配風溝（１６ｅ、１８ｃ）が設けられていない場合に比べて、靴内部空間（１１ｄ）内の空気が外気に排出され易く、あるいは、外気を吸い込み易くできるので、靴内部空間（１１ｄ）内を急速に、換気することができる。
【００１２】
請求項２に記載の発明では、請求項１において、隙間（１６ｈ、１８ｄ）の適宜部位が外気に通じていることを特徴とする。
【００１３】
これによれば、隙間（１６ｈ、１８ｄ）の適宜部位が外気に通じるように形成されているので、空気流通路（１０１、１０４ａ）内の空気を、一端側および他端側のどちらか一方に送風する際に、隙間（１６ｈ、１８ｄ）の適宜部位での空気の出入りが容易になる。また、それにより、空気流通路（１０１、１０４ａ）の一端側での空気の出入りも容易になる。
【００１４】
その結果、空気流通路（１０１、１０４ａ）内の空気が送風される際に、請求項１より、さらに靴内部空間（１１ｄ）内の空気が外気に排出され易く、あるいは、外気を吸い込み易くできるので、靴内部空間（１１ｄ）内をさらに、急速に換気することができる。なお、配風溝（１６ｅ、１８ｃ）が挿入口（１１ａ）まで形成されて外気に通じている場合も同様の作用、効果を得ることができる。
【００１５】
請求項３に記載の発明では、請求項１または請求項２において、送風手段（２７）は電気を供給されて作動することを特徴とする。
【００１６】
これによれば、電気が供給されている間、歩行しなくとも、常に送風することができる。また、その際、空気流通路（１０１、１０４ａ）の一端側が、足（２００）によって塞がれないので、送風手段（２７）が作動した際、空気流通路（１０１、１０４ａ）での圧損を少なくできる。
【００１７】
請求項４に記載の発明のように、請求項３において、送風手段（２７）の作動、停止を制御する制御手段（２９ａ）を備えていてもよい。
【００１８】
請求項５に記載の発明のように、請求項１乃至請求項４のいずれか１つにおいて、空気流通路（１０１）の一端側が配風溝（１６ｅ、１８ｃ）に開口する靴内開口部（１６ｊ）で構成され、空気流通路（１０１）の他端側が外気に開口する外気開口部（１４ｂ）で構成されていてもよい。
【００１９】
請求項６に記載の発明のように、請求項１乃至請求項４のいずれか１つにおいて、空気流通路（１０４ａ）の一端側が配風溝（１６ｅ、１８ｃ）に開口する第１の靴内開口部（１６ｋ）で構成され、空気流通路（１０４ａ）の他端側が外気に開口する第１の外気開口部（１４ｃ）で構成されており、
さらに、空気流通路（１０４ａ）とは別に第２の空気流通路（１０４ｂ）が形成されており、
第２の空気流通路（１０４ｂ）の一端側が配風溝（１６ｅ、１８ｃ）に開口する第２の靴内開口部（１６ｍ）で構成され、第２の空気流通路（１０４ｂ）の他端側が外気に開口する第２の外気開口部（１５ｅ）で構成されていてもよい。
【００２０】
請求項７に記載の発明では、請求項３乃至請求項６のいずれか１つにおいて、空気流通路（１０１、１０４ａ）の両端のうち、他端側から一端側に送風する送風モード（Ｍ１）と、一端側から他端側に送風する排気モード（Ｍ２）とを有しており、
送風モード（Ｍ１）と排気モード（Ｍ２）とを選択するモード選択手段（ＳＷ４）を備えていることを特徴とする。
【００２１】
これによれば、モード選択手段（ＳＷ４）によって送風モード（Ｍ１）と排気モード（Ｍ２）を任意に選択できる。
【００２２】
請求項８に記載の発明では、請求項１乃至請求項７のいずれか１つにおいて、空気流通路（１０１、１０４ａ、１０４ｂ）を遮蔽する遮蔽手段を備えていることを特徴とする。
【００２３】
これによれば、遮蔽手段によって、空気流通路（１０１、１０４ａ、１０４ｂ）を遮蔽できるので、空気流通路（１０１、１０４ａ、１０４ｂ）から靴内部空間（１１ｄ）に雨水が浸入しにくくするようにできる。
【００２４】
請求項９に記載の発明のように、請求項１乃至請求項８のいずれか１つにおいて、空気流通路（１０１、１０４ａ）の空気および靴内部空間（１１ｄ）の空気の少なくとも一方に伝熱する伝熱手段を備え、
伝熱手段は、空気加熱手段（４１、４２）、空気冷却手段のうち、少なくとも一方で構成されていてもよい。
【００２５】
因みに、上記各手段のかっこ内の符号は、後述する実施形態に記載の具体的手段との対応関係を示す一例である。
【発明を実施するための最良の形態】
【００２６】
（第１実施形態）
第１実施形態を説明するにあたり、以下で説明する「排気」について説明する。「排気する（される）」とは、靴内部空間から空気流通路を流通し、外気に送風する（される）ことを言う。「排気」の定義は、第２実施形態〜第５実施形態、その他の実施形態においても同様とする。
【００２７】
また、以下で説明する配風溝１８ｃであるが、挿入口１１ａまで形成されている場合を図１９に、挿入口１１ａ手前まで形成されている場合を図２０に示す。なお、図１９、図２０のように配風溝１８ｃを描くと図が複雑になり、分かり難いので、図１、図９、図１４、図１５、図１８では、配風溝１８ｃの一部を省略して図示するものとする。
【００２８】
第１実施形態では、空気流通路の一端が靴内部空間に、他端が外気に開口しており、空気流路の他端側（外気側）から一端側（靴内部空間側）に、もしくは、一端側（靴内部空間側）から他端側（外気側）に送風するようにした。
【００２９】
送風靴１００のうち靴本体部１１は、図１に示すように、足２００を挿入する挿入口１１ａを有しており、足２００の足裏部２００ａを支持する底部１２と、足２００の甲部２００ｂ等を覆うアッパー１３から構成されている。なお、以下の説明において、靴本体部１１のうち、足２００のつま先部２００ｃ側の端部を靴先端部１１ｂ、足２００のかかと部２００ｄ側の端部を靴後端部１１ｃ、底部１２とアッパー１３とで囲まれる領域を靴内部空間１１ｄ、靴内部空間１１ｄのうち、足２００のつま先部２００ｃ近傍を足先部空間１１ｅと称するものとする。
【００３０】
底部１２は路面と直接接地するアウトソール１４、アウトソール１４の上側に貼り合わされ、着地時の衝撃を緩和するミッドソール１５、さらにミッドソール１５の上側に配置され、足２００を支持する足底板１６から構成されている。
【００３１】
ここで、本発明の空気流通路１０１について説明する。アウトソール１４のうち、靴後端部１１ｃ側には、後述する送風ユニット本体部２２の第２開口部２２ｃと、外気とを連通する連通路１４ａが形成されている。なお、アウトソール１４の連通路１４ａのうち、外気側の開口部を外気開口部１４ｂと称するものとする。
【００３２】
ミッドソール１５の上面１５ａには、図１、図２に示すように、上側に開口する溝部１５ｂが形成されており、この溝部１５ｂと、後述する送風ユニット本体部２２の第１開口部２２ｂとを連通する連通路１５ｃが形成されている。
【００３３】
また、足底板１６の下面１６ａには、図１、図３、図４に示すように、上記ミッドソール１５の溝部１５ｂに開口する開口部１６ｂが、所定間隔を有して複数形成されている。
【００３４】
また、上記足底板１６の上面１６ｄには、径方向断面が矩形で、靴内部空間１１ｄ側に開口して直交する配風溝１６ｅが形成されている。上記開口部１６ｂと上記配風溝１６ｅとの間には、開口部１６ｂと配風溝１６ｅとを連通する連通穴１６ｆが形成されている。
【００３５】
なお、以下の説明において、配風溝１６ｅに形成される空間を隙間１６ｈ、連通穴１６ｆのうち、靴内部空間１１ｄ側に形成される開口部位を靴内開口部１６ｊと称するものとする。
【００３６】
したがって、上記構成によれば、後述する送風ユニット２０の送風機２７が図２の紙面上方から見て、反時計回りに作動すると、外気は、アウトソール１４の外気開口部１４ｂから吸い込まれて、連通路１４ａ、送風ユニット本体部２２の第２開口部２２ｃ、後述する送風路２２ａ、第１開口部２２ｂ、ミッドソール１５の連通路１５ｃ、溝部１５ｂ、足底板１６の開口部１６ｂ、連通穴１６ｆの順に流通し、足底板１６の靴内開口部１６ｊから靴内部空間１１ｄに送風される。上記アウトソール１４の外気開口部１４ｂから足底板１６の靴内開口部１６ｊに至る経路は、本発明の空気流通路１０１を構成する。
【００３７】
また、アッパー１３は、図１に示すように、表革１７、裏革１８を縫製して形成されており、裏革１８の靴内部空間１１ｄ側の裏革表面１８ａには突出部１８ｂが接着されている。なお、以下の説明において、突出部１８ｂが接着されることによって形成される溝を配風溝１８ｃ、配風溝１８ｃに形成される空間を隙間１８ｄと称するものとする。
【００３８】
上記配風溝１８ｃは、靴本体部１１の挿入口１１ａまで形成されており、外気に通じている。したがって、外気が空気流通路１０１を経由して、靴内開口部１６ｊから靴内部空間１１ｄに送風される際、靴内部空間１１ｄ内の空気が隙間１６ｈ、隙間１８ｄを経由してアッパー１３の配風溝１８ｃから容易に排出される。
【００３９】
なお、上記足底板１６、裏革１８、突出部１８ｂから形成される靴の内側部位を、靴内側表面１０２と称するものとする。
【００４０】
次に、送風装置１９について説明する。アウトソール１４とミッドソール１５の間には、送風装置１９が配置されており、上記送風装置１９は送風ユニット２０、制御ユニット２１より構成されている。
【００４１】
最初に、送風ユニット２０について説明する。送風ユニット２０は、送風ユニット本体部２２、電源装置２５、フタ部２６、送風機２７により構成されている。以下、具体的に説明する。
【００４２】
送風ユニット本体部２２には、図５、図６に示すように、空気が流通する送風路２２ａが形成されている。送風路２２ａのうち、靴先端部１１ｂ側には、ミッドソール１５の連通路１５ｃに開口する第１開口部２２ｂが、靴後端部１１ｃ側には、アウトソール１４の連通路１４ａに開口する第２開口部２２ｃが形成されている。
【００４３】
上記送風ユニット本体部２２は、アルミ合金製で、後述する送風機２７が破損しにくい強度を有している。チタン合金、マグネシウム合金を用いてもよい。
【００４４】
上記送風路２２ａのうち、靴先端部１１ｂ側から靴後端部１１ｃ側に伸びるように形成された部位を水平部位２２ｄと称するものとすると、上記水平部位２２ｄのうち、靴後端部１１ｃ側には、送風機２７が配置されている。送風機２７は本発明の送風手段を構成するものであって、第１実施形態では、軸流式のものを用いている。
【００４５】
また、送風機２７の空気流れ下流側には、送風路２２ａの水平部位２２ｄの上側に電源装置２５が配置されている。
【００４６】
電源装置２５は、送風機２７、制御ユニット２１に電気を供給するもので、電池２５ａ、安全装置２５ｂから構成されている。上記電池２５ａは、２次電池を使用しており、安全用回路を内蔵した安全装置２５ｂを備えている。１次電池を使用してもよい。電源装置２５は、フタ部２６により密閉される。
【００４７】
次に、制御ユニット２１、操作盤３２について説明する。
【００４８】
制御ユニット２１は、制御部本体部２８、制御基板２９から構成されており、制御部本体部２８に制御基板２９が内蔵されている。上記制御基板２９は、図７に示すように、送風機２７を作動、停止させる制御回路２９ａを搭載している。上記制御回路２９ａは本発明の制御手段を構成する。
【００４９】
操作盤３２は、図８に示すように、操作部３２ａと、表示部３２ｂとから構成されている。
【００５０】
操作部３２ａには、開始スイッチＳＷ１、停止スイッチＳＷ２、風量切換スイッチＳＷ３、モード選択スイッチＳＷ４が設けられている。モード選択スイッチＳＷ４は本発明のモード選択手段を構成する。
【００５１】
また、表示部３２ｂには、送風ランプＬＰ３、排気ランプＬＰ４、運転中表示ランプＬＰ５、バッテリ表示ランプＬＰ６が設けられている。
【００５２】
送風ランプＬＰ３は後述する送風モードＭ１で運転をする際に、排気ランプＬＰ４は、後述する排気モードＭ２で運転をする際に、運転中表示ランプＬＰ５は、送風機２７が作動しているときに点灯表示する。また、バッテリ表示ランプＬＰ６は、電池２５ａが所定電圧以上で点灯表示する。
【００５３】
ところで、上記説明では、送風ユニット本体部２２の送風機２７が、図２の紙面上方から見て、反時計回りに作動する場合について説明したが、送風ユニット本体部２２の送風機２７は、図２の紙面上方から見て、時計回りにも作動できる。
【００５４】
そこで、以下の説明に先立ち、操作盤３２のモード選択スイッチＳＷ４を押すことによって選択される制御モードについて説明する。
【００５５】
送風機２７を、図２の紙面上方から見て、反時計回りに作動し、外気が空気流通路１０１を流通し、靴内開口部１６ｊから靴内部空間１１ｄに送風するように制御する制御モードを送風モードＭ１と称するものとする。また、送風機２７を、図２の紙面上方から見て、時計回りに作動し、靴内部空間１１ｄの空気が空気流通路１０１を流通し、外気開口部１４ｂから外気に送風するように制御する制御モードを排気モードＭ２と称するものとする。
【００５６】
次に、操作部３２ａに設けられた各スイッチＳＷ１〜ＳＷ４を押した場合の制御方法について説明する。
【００５７】
上記開始スイッチＳＷ１は運転を開始する。また、停止スイッチＳＷ２は運転を停止する。
【００５８】
風量切換スイッチＳＷ３は風量の切り換えを行うものであり、風量切換スイッチＳＷ３を押すごとに強風と弱風の２つの切り換えを行う。
【００５９】
モード選択スイッチＳＷ４は、１回押すごとに、送風モードＭ１、排気モードＭ２が交互に選択される。開始スイッチＳＷ１を押して運転を開始する。
【００６０】
送風モードＭ１が選択されると、送風ランプＬＰ３が点灯、排気ランプＬＰ４が消灯する。そして、開始スイッチＳＷ１をして運転を開始すると、送風機２７が図２の紙面上方から見て、反時計回りに作動し、外気が空気流通路１０１を流通し、靴内部空間１１ｄに送風される。その際、靴内部空間１１ｄの空気が、アッパー１３の配風溝１８ｃに形成された隙間１８ｄ等を経由して、挿入口１１ａから外気に排出される。送風機２７は、所定時間経過後、停止してもよい。
【００６１】
排気モードＭ２が選択されると、排気ランプＬＰ４が点灯、送風ランプＬＰ３が消灯する。そして、開始スイッチＳＷ１を押して運転を開始すると、送風機２７が図２の紙面上方から見て、時計回りに作動し、靴内部空間１１ｄの空気が空気流通路１０１を流通し、外気に送風される。その際、新鮮な外気が、挿入口１１ａからアッパー１３の配風溝１８ｃに形成された隙間１８ｄ等を経由して空気流通路１０１に供給される。送風機２７は、所定時間経過後停止してもよい。
【００６２】
上記構成によれば、足２００に隙間１６ｈ、隙間１８ｄを有して空気を配風する配風溝１６ｅ、配風溝１８ｃのうち、配風溝１６ｅに、靴内開口部１６ｊが開口しているので、靴内開口部１６ｊが足２００によって塞がれず、靴内開口部１６ｊでの空気の出入り、挿入口１１ａでの空気の出入りが容易になる。
【００６３】
その結果、送風モードＭ１にて送風機２７が作動し、外気が上記空気流通路１０１を経由して靴内部空間１１ｄに送風される際、靴内部空間１１ｄ内の空気が挿入口１１ａから排出され易くでき、靴内部空間１１ｄ内を急速に、換気することができる。
【００６４】
また、排気モードＭ２にて送風機２７が作動し、靴内部空間１１ｄ内の空気が上記空気流通路１０１を経由して外気に送風される際には、挿入口１１ａから外気を吸い込み易くでき、靴内部空間１１ｄ内を急速に、換気することができる。
【００６５】
また、送風モードＭ１と排気モードＭ２とを選択するモード選択スイッチＳＷ４を備えているので、操作者の好みに応じて送風モードＭ１と排気モードＭ２を切り換えることができる。
【００６６】
さらに、空気流通路１０１内の空気の風量を切り換える風量切換スイッチＳＷ３を備えているので、操作者の好みに応じ、空気流通路１０１内の空気の風量を切り換えることができる。
【００６７】
なお、送風ランプＬＰ３、排気ランプＬＰ４が設けられているので、送風モードＭ１と排気モードＭ２のどちらで運転しているのかを目視確認することができる。また、運転中表示ランプＬＰ５を備えているので、送風機２７が作動中であるか否かを目視確認ができる。
【００６８】
（第２実施形態）
第２実施形態のように、靴内部空間１１ｄに開口する第１の靴内開口部と、第２の靴内開口部を設け、第１の靴内開口部の反対側、第２の靴内開口部の反対側に、それぞれ外気に開口する第１の外気開口部、第２の開口部を設けてもよい。主に、第２実施形態との相違点である空気流通路１０４ａ、空気流通路１０４ｂ、アッパー１３等について説明する。なお、図１０は下記で参照する図９の送風靴の空気流通路を説明する一部断面平面図である。
【００６９】
最初に、足底板１６について説明する。足底板１６は、図９、図１１、図１２に示すように、開口部１６ｂ、配風溝１６ｅ、連通穴１６ｆ、隙間１６ｈが第１実施形態と同様に形成されており、さらに、後述する送風ユニット本体部２２の第３開口部２２ｊに開口する開口部１６ｃと、上記開口部１６ｃと配風溝１６ｅとを連通する連通穴１６ｇが形成されている。連通穴１６ｇは、連通穴１６ｆと区別するために、図１２において、●印で示した。
【００７０】
なお、第２実施形態では、連通穴１６ｆのうち、靴内部空間１１ｄ側に形成される開口部位を靴内開口部１６ｋ、連通穴１６ｇのうち、靴内部空間１１ｄ側に形成される開口部位を靴内開口部１６ｍと称するものとする。上記靴内開口部１６ｋは、第１実施形態の靴内開口部１６ｊに相当する。靴内開口部１６ｋは本発明の第１の靴内開口部を、靴内開口部１６ｍは本発明の第２の靴内開口部を構成する。
【００７１】
次に、送風ユニット本体部２２について説明する。図９、図１３に示すように、上記送風ユニット本体部２２には、送風路２２ａ、送風路２２ｈが形成されている。上記送風路２２ａの両端には第１開口部２２ｂ、第２開口部２２ｃが形成されており、送風機２７が上記送風路２２ａの途中に配置されている。なお、上記送風路２２ａの途中に設けられた送風機２７は、第２実施形態では、貫流式のものを用いている。
【００７２】
また、上記送風路２２ｈは、靴先端部１１ｂ側に第３開口部２２ｊが、靴後端部１１ｃ側に第４開口部２２ｋが形成されている。上記第３開口部２２ｊは、足底板１６の開口部１６ｃに、上記第４開口部２２ｋは、後述するミッドソール１５の連通路１５ｄに開口している。
【００７３】
アウトソール１４の連通路１４ａは、第１実施形態と同様に構成されている。なお、連通路１４ａのうち、靴後端部１１ｃ側に形成された開口部を外気開口部１４ｃと称するものとする。外気開口部１４ｃは、本発明の第１の外気開口部を構成する。
【００７４】
ミッドソール１５のうち、靴後端部１１ｃ側には、送風路２２ａの第４開口部２２ｋと外気を連通する連通路１５ｄが形成されている。なお、連通路１５ｄのうち、靴後端部１１ｃ側に形成された開口部を、外気開口部１５ｅと称するものとする。外気開口部１５ｅは本発明の第２の外気開口部を構成する。
【００７５】
上記構成によれば、送風機２７が、図９の紙面上方から見て時計回りに作動すると、外気がアウトソール１４の外気開口部１４ｃから吸い込まれ、アウトソール１４の連通路１４ａ、送風ユニット本体部２２の第２開口部２２ｃ、送風路２２ａ、第１開口部２２ｂ、ミッドソール１５の連通路１５ｃ、溝部１５ｂ、足底板１６の開口部１６ｂ、連通穴１６ｆの順に送風され、靴内開口部１６ｋから靴内部空間１１ｄに供給される。
【００７６】
そして、靴内部空間１１ｄに供給された空気は、足底板１６の配風溝１６ｅの隙間１６ｈ、アッパー１３の配風溝１８ｃの隙間１８ｄを流通した後、足底板１６の靴内開口部１６ｍから吸い込まれ、足底板１６の連通穴１６ｇ、開口部１６ｃ、送風ユニット本体部２２の第３開口部２２ｊ、送風路２２ｈ、第４開口部２２ｋ、ミッドソール１５の連通路１５ｄの順に送風され、外気開口部１５ｅから外気に吐き出される。
【００７７】
上記アウトソール１４の外気開口部１４ｃから靴内開口部１６ｋまでの経路は本発明の空気流通路１０４ａを、足底板１６の靴内開口部１６ｍからミッドソール１５の外気開口部１５ｅまでの経路は本発明の第２の空気流通路１０４ｂを構成する。
【００７８】
上記構成のように、空気流通路を複数設けてもよい。また、上記構成によれば、靴内側表面１０２に、挿入口１１ａまで、足２００に空気を配風する配風溝１６ｅ、１８ｃが形成されているので、第１実施形態と同様に、空気が配風溝１６ｅ、１８ｃを容易に流通し、靴内部空間１１ｄ内を急速に、換気することができる。
【００７９】
（第３実施形態）
足２００が挿入口１１ａに挿入された際に、足２００を検出する足検出センサを設け、上記足検出センサが足２００を検出する場合のみ、運転を行うようにしてもよい。
【００８０】
（第４実施形態）
第１実施形態、第２実施形態では、アウトソール１４の外気開口部１４ｂを、靴後端部１１ｃに開口するようにしていたが、図１４に示すように、外気開口部３０をかかと上部に設けてもよい。外気開口部３０は、第１実施形態の外気開口部１４ｂに相当する。
【００８１】
（第５実施形態）
第１実施形態では、制御ユニット２１を底部１２に設けたが、図１５に示すように、送風靴１００の外側に設け、靴本体部１１と分離可能に構成してもよい。
【００８２】
また、図示はしないが、電源装置２５を靴本体部１１の外側に設け、靴本体部１１と分離可能に構成してもよい。上記制御ユニット２１と、電源装置２５を一体に構成し、靴本体部１１と分離可能に構成してもよい。
【００８３】
また、送風ユニット２０、制御ユニット２１、電源装置２５を靴本体部１１の外側に設け、靴本体部１１と分離可能に構成してもよい。上記送風ユニット２０、制御ユニット２１、電源装置２５を一体に構成し、靴本体部１１と分離可能に構成してもよい。
【００８４】
また、操作盤３２を靴本体部１１と分離して構成し、操作盤３２と制御ユニット２１との間を無線通信させ、電源装置２５から電気が供給された制御ユニット２１によって、送風機２７を作動させてもよい。なお、第５実施形態に示した各構成は、第１実施形態の靴にのみ適用されるものではなく、他の実施形態にも適用されてもよい。
【００８５】
（第６実施形態）
図１６、図１７に示すように、空気流通路の途中、または開口部において空気を遮蔽するシャッターを設けてもよい。以下、第１実施形態を例に、具体的に説明する。
【００８６】
図１６に示すように、軸径方向の断面が円状のシャフト３５の一端側に、ソレノイド３６が配置されている。ソレノイド３６は表面が絶縁された銅線３６ａを、芯材３６ｂに巻回したもので、通電すると磁力を発生する。銅線３６ａはカバー３７によって保護されている。
【００８７】
また、ソレノイド３６と相対する位置には、上記シャフト３５の軸線方向に摺動する鉄製の可動部材３８が設けられている。上記ソレノイド３６と、上記可動部材３８との間には、スプリング３９が付設されている。ソレノイド３６が通電されないときは、スプリング３９によってソレノイド３６と可動部材３８との間に隙間が形成される。
【００８８】
そして、ソレノイド３６が通電されると、図１７に示すように、可動部材３８がソレノイド３６の磁力によってスプリング３９の反発力に打ち勝ち、ソレノイド３６の方向に移動する。上記可動部材３８にはシャッター４０が取り付けられており、ソレノイド３６の方向に移動した際に空気流通路１０１を遮蔽することができる。
【００８９】
上記シャフト３５、ソレノイド３６、カバー３７、可動部材３８、スプリング３９、シャッター４０は、本発明の遮蔽手段を構成する。
【００９０】
上記構成によれば、空気流通路１０１を遮蔽することができるので、外部から空気流通路１０１を経由して靴内部空間に水が入りにくくすることができる。なお、第６実施形態に示した各構成は、第１実施形態の靴にのみ適用されるものではなく、他の実施形態にも適用されてもよい。
【００９１】
（第７実施形態）
第１実施形態では気流通路１０１の途中に送風機２７を設け、靴内部空間１１ｄに送風するようにしたが、図１８に示すように、送風ユニット本体部２２の送風路２２ａのうち、水平部位２２ｄの近傍に、空気流通路１０１の空気を加熱するヒータ４１、４２を設けてもよい。上記ヒータ４１、４２は本発明の空気加熱手段を構成する。
【００９２】
上記構成によれば、ヒータ４１、４２によって加熱された空気が靴内部空間１１ｄに送風される。その際、足２００に隙間１６ｈ、隙間１８ｄを有して空気を配風する配風溝１６ｅ、配風溝１８ｃのうち、配風溝１６ｅに、靴内開口部１６ｊが開口しているので、靴内開口部１６ｊが足２００によって塞がれず、靴内開口部１６ｊでの空気の出入り、挿入口１１ａでの空気の出入りが容易になる。その結果、ヒータ４１、４２によって加熱された空気を、容易に靴内部空間１１ｄに送風することができる。
【００９３】
また、上記ヒータ４１、４２の代わりに、図示はしないが、例えば、ペルチェ素子を用いて空気流通路１０１の空気を冷却するようにしてもよい。その場合、冷却された空気を、容易に靴内部空間１１ｄに送風することができる。上記ペルチェ素子は本発明の空気冷却手段を、上記空気冷却手段、空気加熱手段は本発明の伝熱手段を構成する。なお、上記伝熱手段は、他の実施形態に適用されてもよい。
【００９４】
（その他の実施形態）
第１実施形態、第２実施形態では、送風手段に送風機を用いたが、ポンプでもよい。また、圧電ファンを用いてもよい。
【００９５】
また、送風手段は電源により作動するものに限定されない。例えば、靴の底部に、靴内部空間と外気とを連通する空気流通路を備え、さらに、上記空気流通路の途中に空気室と、靴内部空間と外気のどちらか一方にのみ送風する逆止弁とを備え、上記空気室を圧縮させて靴内部空間に送風するものでもよい。
【００９６】
また、制御手段は、送風機２７の作動、停止を手動操作する手動スイッチであってもよい。
【００９７】
また、送風靴１００の送風機２７の制御方法は、種々あり、第１実施形態に限定されるものではない。例えば、送風モードＭ１または排気モードＭ２にて運転開始する場合、送風機２７が所定時間ごとに作動、停止を繰り返してもよい。
【００９８】
また、配風溝１８ｃは、挿入口１１ａまで形成されていることが望ましいが、図２０に示すように、挿入口１１ａ手前まで形成されていてもよい。なお、図示はしないが、配風溝１８ｃと外気を連通する連通孔を形成することにより、配風溝１８ｃが挿入口１１ａまで形成されている場合と同様の効果が期待できる。
【図面の簡単な説明】
【００９９】
【図１】本発明の第１実施形態による送風靴の正面断面図である。
【図２】図１の送風靴の空気流通路を説明する一部断面平面図である。
【図３】本発明の第１実施形態による足底板の断面図である。
【図４】図１の送風靴を足底板上方から見た平面図である。
【図５】本発明の第１実施形態による送風ユニットの正面断面図である。
【図６】図５の平面断面図である。
【図７】本発明の第１実施形態による制御ブロック図である。
【図８】本発明の第１実施形態による操作盤の正面図である。
【図９】本発明の第２実施形態による送風靴の正面断面図である。
【図１０】図９の送風靴の空気流通路を説明する一部断面平面図である。
【図１１】本発明の第２実施形態による足底板の断面図である。
【図１２】図１１の送風靴を足底板上方から見た平面図である。
【図１３】本発明の第２実施形態による送風ユニットの正面断面図である。
【図１４】本発明の第４実施形態による送風靴の正面断面図である。
【図１５】本発明の第５実施形態による送風靴の正面断面図である。
【図１６】本発明の第６実施形態によるシャッターの断面正面図である。
【図１７】図１６のシャッターが遮蔽した際の断面正面図である。
【図１８】本発明の第７実施形態による送風靴の正面断面図である。
【図１９】配風溝１８ｃの形状を説明する第１の説明図である。
【図２０】配風溝１８ｃの形状を説明する第２の説明図である。
【符号の説明】
【０１００】
１１…靴本体部
１１ａ…挿入口
１１ｂ…靴先端部
１１ｃ…靴後端部
１１ｄ…靴内部空間
１１ｅ…足先部空間
１２…底部
１３…アッパー
１４…アウトソール
１４ａ…連通路
１４ｂ…外気開口部
１４ｃ…外気開口部（第１の外気開口部）
１５…ミッドソール
１５ａ…上面
１５ｂ…溝部
１５ｃ…連通路
１５ｄ…連通路
１５ｅ…外気開口部（第２の外気開口部）
１６…足底板
１６ａ…下面
１６ｂ…開口部
１６ｃ…開口部
１６ｄ…上面
１６ｅ…配風溝
１６ｆ…連通穴
１６ｇ…連通穴
１６ｈ…隙間
１６ｉ…（欠番）
１６ｊ…靴内開口部
１６ｋ…靴内開口部（第１の靴内開口部）
１６ｌ…（欠番）
１６ｍ…靴内開口部（第２の靴内開口部）
１７…表革
１８…裏革
１８ａ…裏革表面
１８ｂ…突出部
１８ｃ…配風溝
１８ｄ…隙間
１９…送風装置
２０…送風ユニット
２１…制御ユニット
２２…送風ユニット本体部
２２ａ…送風路
２２ｂ…第１開口部
２２ｃ…第２開口部
２２ｄ…水平部位
２２ｅ…（欠番）
２２ｆ…（欠番）
２２ｇ…（欠番）
２２ｈ…送風路
２２ｉ…（欠番）
２２ｊ…第３開口部
２２ｋ…第４開口部
２３…（欠番）
２４…（欠番）
２５…電源装置
２５ａ…電池
２５ｂ…安全装置
２６…フタ部
２７…送風機（送風手段）
２８…制御部本体部
２９…制御基板
２９ａ…制御回路（制御手段）
３０…外気開口部
３１…（欠番）
３２…操作盤
３２ａ…操作部
３２ｂ…表示部
３３、３４…（欠番）
３５…シャフト
３６…ソレノイド
３６ａ…銅線
３６ｂ…芯材
３７…カバー
３８…可動部材
３９…スプリング
４０…シャッター
４１…ヒータ（空気加熱手段、伝熱手段）
４２…ヒータ（空気加熱手段、伝熱手段）
１００…送風靴
１０１…空気流通路
１０２…靴内側表面
１０３…（欠番）
１０４ａ…第１の空気流通路
１０４ｂ…第２の空気流通路
２００…足
２００ａ…足裏部
２００ｂ…甲部
２００ｃ…つま先部
２００ｄ…かかと部
ＬＰ１…（欠番）
ＬＰ２…（欠番）
ＬＰ３…送風ランプ
ＬＰ４…排気ランプ
ＬＰ５…運転中表示ランプ
ＬＰ６…バッテリ表示ランプ
Ｍ１…送風モード
Ｍ２…排気モード
ＳＷ１…開始スイッチ
ＳＷ２…停止スイッチ
ＳＷ３…風量切換スイッチ
ＳＷ４…モード選択スイッチ（モード選択手段）
【図１】
2007296260.tif 000003
【図２】
2007296260.tif 000004
【図３】
2007296260.tif 000005
【図４】
2007296260.tif 000006
【図５】
2007296260.tif 000007
【図６】
2007296260.tif 000008
【図７】
2007296260.tif 000009
【図８】
2007296260.tif 000010
【図９】
2007296260.tif 000011
【図１０】
2007296260.tif 000012
【図１１】
2007296260.tif 000013
【図１２】
2007296260.tif 000014
【図１３】
2007296260.tif 000015
【図１４】
2007296260.tif 000016
【図１５】
2007296260.tif 000017
【図１６】
2007296260.tif 000018
【図１７】
2007296260.tif 000019
【図１８】
2007296260.tif 000020
【図１９】
2007296260.tif 000021
【図２０】
2007296260.tif 000022